(57)【要約】      （修正有）【課題】箱内の収容物が箱の上部から飛び出す大きさであってもその内容物を損傷させないように別の箱を積み重ねることが可能な箱積重ね用具を提供する。【解決手段】箱積重ね用具は、断面が８角形のスリーブ状に形成された所定の高さに形成した段ボールから成る枠体１である。該枠体１は対向し対となる長壁面と短壁面とからなる二組の壁面を有し、その長短二組の壁面間に幅の短い斜壁部４を有している。その斜壁の４箇所に段積する箱と連結する箱縁挿入穴部６を設ける。【選択図】図１
0003154399.tif 000002
【実用新案登録請求の範囲】
【請求項１】
第一の箱の上部に第二の箱を積み重ねる際、前記第一の箱と第二の箱との間に挿入される箱積重ね用具であり、
該用具は、断面が８角形のスリーブ状に形成された所定の高さに形成されている枠体であるとともに、該枠体の斜壁の４箇所に段積する箱と連結する箱縁挿入穴部を設けたことを特徴とする箱積重ね用具。
【請求項２】
段ボールから成り、対向し対となる長壁面と短壁面とからなる二組の壁面を有し、その長短二組の壁面間に幅の短い斜壁部を有している請求項１に記載の箱積重ね用具。
【請求項３】
対となる短壁面に把持孔を設けた請求項２に記載の箱積重ね用具。
【考案の詳細な説明】
【技術分野】
【０００１】
本考案は、主に栽培した植物を多量に市場に出荷するとき、あるいは育苗したポット苗等を他の場所に多量に移動するとき使用する用具に関する。特に、箱内の収容物が箱の上部より飛び出す大きさであっても、その収容物を損傷させないように別の箱を積み重ねることが可能な用具に関するものである。
【背景技術】
【０００２】
植物を栽培し、これを出荷する場合に、植物を入れた箱の段積を可能とする従来の技術として、実用新案登録第３１３３４９４号公報に記載された「箱積重ね部材」があり、既に実用に供されている。
この従来技術に示されている「箱積重ね部材」は、前後面及び左右面からなる断面が方形（四角形）の折り畳み可能な構造をした段ボールやプラスチック製の筒型の枠体であり、ポットや植木鉢等に植えられた植物をトレイ状のかご（運搬箱）に入れて多量に市場に出荷するとき、植物を損傷させることなく、そのトレイの段積みを可能して、一度の運搬で数多くのトレイを搬送できるようにした箱積重ね部材であった。
【先行技術文献】
【特許文献】
【０００３】
【特許文献１】実用新案登録第３１３３４９４号公報（図１、００２２段）
【考案の概要】
【考案が解決しようとする課題】
【０００４】
上記従来の箱積重ね部材は、断面が方形のスリーブであり、段ボールを使用しコンパクトに折り畳みができるように形成されていた。しかし、単に四角形の枠構造であったので垂直方向の荷重を支える部材としては構造的に弱いものであった。
また、使用材料が段ボールである場合、段ボール使用量が多いという欠点があった。さらに枠主体とこれに段積する箱の連結面が前後２ヶ所であるので、安全上から箱を支える固定個所を増やしたいという要望があった。
本考案は、上記不具合を解消した新規な箱積重ね用具を得ることを目的とする。
【課題を解決するための手段】
【０００５】
上記目的を達成するために、本考案は、第一の箱の上部に第二の箱を積み重ねる際、前記第一の箱と第二の箱との間に挿入される箱積重ね用具であり、
該用具は、対向し、対となる長壁面と短壁面とからなる二組の壁面を有し、その長短二組の壁面間に幅の短い斜壁部を有していると共に、所定の高さに形成されている断面が８角形のスリーブ状に形成された枠体であるとともに、該枠体の斜壁部の４箇所に段積する箱と連結する箱縁挿入穴部を設けたことを主要な特徴としている。
【考案の効果】
【０００６】
本考案の箱積重ね用具は、断面８角形のスリーブ状に形成された枠体であるので、断面が方形の構造であった従来のものに較べ、荷重を支えるポストが多くなるので、垂直方向の力に対して大きな強度を持ち、ポット鉢などの植物を入れた箱を積重ねて運搬する際に、箱内の収容物が箱の上部より飛び出す大きさであっても、その収容物を損傷させないように別の箱を積み重ねることが可能となる。
また、本考案の箱積重ね用具は、四角形状の従来のものよりも材料使用量が少なくすむ利点を備えている。
さらにまた本考案の箱積重ね用具は、断面８角形の枠の少なくとも４箇所の隅部で段積みする箱を安定よく支えることができる効果を有する。
【図面の簡単な説明】
【０００７】
【図１】図１は本考案の一実施例を示す斜視図である。
【図２】本考案の展開図である。
【図３】植物を出荷するとき使用するトレイ状の箱の斜視図である。
【図４】使用状態の一例を示す図である。
【図５】同上平面図である。
【考案を実施するための形態】
【０００８】
本考案は、箱内の収容物が箱の上部から飛び出す大きさであってもその内容物を損傷させないように別の箱を積み重ねることが可能な箱積重ね用具を簡単な構成で実現した。
【実施例】
【０００９】
以下、本考案の実施の形態を図面に基いて説明する。
図１において、１は、８角形のスリーブ状に形成された箱積重ね用具の主体である。
【００１０】
この主体１は、図２に例示したように、一辺の幅Ｗが約３０５ｍｍ、長さＬが約４４６ｍｍ、高さＨが約２４５ｍｍの大きさに、長尺な段ボールシートより形成されている。そして、上記ブランクシートの一端に形成した接合片５により、対向した短壁面２ａ，２ｂと長壁面３ａ，３ｂとからなる二組の壁面を有し、その長短二組の壁面間に短い幅の斜壁部４を備えるように、略８角形状に組み立て使用する。なお、斜壁部４は幅が約５０ｍｍに形成されている。
【００１１】
図３は、植物を出荷するとき使用する運搬具であるトレイ状の箱５の斜視図である。この箱５は、複数の植物が並列に積載可能である。上記植物は鉢物であってもよい。
【００１２】
図４に示すように、枠主体１は、箱５の上方から箱５全体を覆うようにかぶせて設置する。また、箱５の４箇所の箱縁を、斜壁部４に設けた箱縁挿入穴６に挿入して支持させる。そして、この枠主体１の上方から積重ねる上方の箱５を枠主体１の内部へ挿入するように枠主体１に設置するのである。
なお上記８角形のスリーブ状に形成された主体の大きさ並びに高さは、収容するトレイ（箱）の種類、大きさ等によって適宜設定する。因みに符号７で示すのは、枠主体１の短壁面２ａ，２ｂに設ける把持孔である。この把持孔は、箱縁挿入穴６と同じレベルに形成して、枠体を運搬するとき箱を同時につかむことができるようにしている。
【００１３】
上記のように本考案の枠主体１は、植物を運搬する場合に、植物を入れた箱の段積を可能として、特許文献１に示した従来技術と同じように、箱内の収容物が箱の上部から飛び出す大きさであってもその内容物を損傷させないように別の箱を積み重ねることが可能となる。従って、この状態で輸送をすれば、一度の輸送で植物を入れた箱を多量かつ円滑に運搬することができる。
【００１４】
図５からわかるように、本考案の箱積重ね用具は、断面８角形のスリーブ状に形成された枠体であるので、断面が方形の構造であった従来のものに較べ、曲げ剛性が高く、垂直方向の荷重に対して大きな強度を持つという利点を有している。さらに、本考案の箱積重ね用具は、四角形状の従来のものよりも材料使用量が少なくすむ利点を有している。
そしてまた本考案によれば、枠主体１に箱５の４箇所の箱縁を、斜壁部４に設けた箱縁挿入穴６に挿入して支持させることができるので、上記枠主体が不用意に離脱しなくなる。このため、植物を収容した箱１の持ち運びが容易となる。
【符号の説明】
【００１５】
１  枠主体
２ａ、２ｂ  短壁面
３ａ、３Ｂ  長壁面
４  斜壁
５  箱
６  箱縁挿入穴
７  把持穴
【図１】
0003154399.tif 000003
【図２】
0003154399.tif 000004
【図３】
0003154399.tif 000005
【図４】
0003154399.tif 000006
【図５】
0003154399.tif 000007